(57)【特許請求の範囲】
【請求項１】
植物の苗又は種子とともに土壌等の植物保持媒体が収容される、底部・側壁及び開口を有する容器形態の植物保持用のポットであって、
その容器形態の側壁において前記底部に向かって延びるように外側へせり出すせり出し部と、
そのせり出し部の横方向において互いに対向する対向内面と、
そのせり出し部の下端に形成された外側へせり出す段部と、
その段部に形成され、上側から下側に向かって挿入される表示ラベルの先端部を受け入れるスリットと、を備え、
前記せり出し部の対向内面が前記表示ラベルの先端部を前記スリットに誘導する誘導面とされ、その対向内面に誘導される前記表示ラベルの先端部が前記段部を前記スリットにおいて貫通して前記側壁の外面に露出し、
前記せり出し部の対向内面の上端は、前記開口の周縁まで達することなく、前記側壁における隣り合う対向内面の上端と接して、複数のせり出し部が側壁の周方向に連続的に連なることを特徴とする植物保持用のポット。
【請求項２】
前記誘導面となる前記せり出し部の対向内面は、前記底部に近づくほど横方向の間隔が狭くなる先細りの形態で形成されている請求項１に記載の植物保持用のポット。
【請求項３】
前記表示ラベルの誘導面となる前記対向内面は、前記底部に向かうほど対称的に間隔が狭くなるテーパー形状に形成されている請求項２に記載の植物保持用のポット。
【請求項４】
前記ポットは上から見て円形状をなしている請求項１ないし３のいずれか１項に記載の植物保持用のポット。
【請求項５】
前記ポットは上から見て四角形状をなし、その４つの側壁にそれぞれ前記せり出し部が合計４個形成されている請求項１ないし３のいずれか１項に記載の植物保持用のポット。
【請求項６】
前記四角形状の４本の角部の稜線に沿って外側へせり出すとともに前記せり出し部に連なる又は不連続に近接する４本のせり出し脚部が形成されている請求項５に記載の植物保持用のポット。
【発明の詳細な説明】
【技術分野】
【０００１】
本発明は、植物の苗又は種子とともに土壌等の植物保持媒体が収容される植物保持用のポットに関する。
【背景技術】
【０００２】
ポットの側壁にスリットを設け、スリットにラベルを挿し込む育苗ポットが知られている（特許文献１）。
【先行技術文献】
【特許文献】
【０００３】
【特許文献１】特開２０１１−９７８８７号公報
【発明の概要】
【発明が解決しようとする課題】
【０００４】
しかし、このポットは土をポットに収容した後ラベルを差し込むため、ラベルの差し込みの際、ラベルの挿入口が土で覆われて挿入口を目視できず、ラベルの挿入に手間を要していた。
【０００５】
本発明の課題は、ラベルの挿入が簡易な植物保持用のポットを提供することにある。
【課題を解決するための手段および発明の効果】
【０００６】
本発明の植物保持用のポットは、
植物の苗又は種子とともに土壌等の植物保持媒体が収容される、底部・側壁及び開口を有する容器形態の植物保持用のポットであって、
その容器形態の側壁において底部に向かって延びるように外側へせり出すせり出し部と、
そのせり出し部の横方向において互いに対向する対向内面と、
そのせり出し部の下端に形成された外側へせり出す段部と、
その段部に形成され、上側から下側に向かって挿入される表示ラベルの先端部を受け入れるスリットと、を備え、
前記せり出し部の対向内面が表示ラベルの先端部をスリットに誘導する誘導面とされ、その対向内面に誘導される表示ラベルの先端部が、前記段部を前記スリットにおいて貫通して側壁の外面に露出し、
前記せり出し部の対向内面の上端は、前記開口の周縁まで達することなく、前記側壁における隣り合う対向内面の上端と接して、複数のせり出し部が側壁の周方向に連続的に連なることを特徴とする。
【０００７】
本発明によれば、ポットの側壁に対向内面を有するせり出し部を設けて、その対向内面を、表示ラベルを挿入するスリットへ誘導する誘導面とするため、表示ラベルをポット側壁の誘導面に沿わせて移動させることで、表示ラベルのスリットへの挿入が容易となる。
【図面の簡単な説明】
【０００８】
【図１】本発明の植物保持用のポットの例１を示す斜視図。
【図２】図１とは異なる角度から見た斜視図。
【図３】図１のポットの平面図。
【図４】図３のＡ−Ａ断面図。
【図５】図１のポットに表示ラベルを挿し込んだ斜視図。
【図６】図５の表示ラベルの例１〜例３を示す正面図。
【図７】スリットに表示ラベルを挿し込む過程の一例を示す図。
【図８】植物保持用のポットの例２を示す斜視図、平面図及び側面図。
【図９】植物保持用のポットの例３を示す斜視図、平面図及び側面図。
【図１０】植物保持用のポットの例４を示す斜視図、平面図及び側面図。
【図１１】植物保持用のポットの例５を示す斜視図、平面図及び側面図。
【図１２】植物保持用のポットの例６を示す斜視図、平面図及び側面図。
【図１３】植物保持用のポットの例７を示す斜視図、平面図及び側面図。
【図１４】植物保持用のポットの例８を示す斜視図、平面図及び側面図。
【図１５】植物保持用のポットの例９を示す斜視図、平面図及び側面図。
【図１６】植物保持用のポットの例１０を示す斜視図、平面図及び側面図。
【図１７】植物保持用のポットの例１１を示す斜視図、平面図及び側面図。
【図１８】植物保持用のポットの例１２を示す斜視図、平面図及び側面図。
【図１９】植物保持用のポットの例１３を示す斜視図、平面図及び側面図。
【図２０】植物保持用のポットの例１４を示す斜視図、平面図及び側面図。
【図２１】植物保持用のポットの例１５を示す斜視図。
【図２２】植物保持用のポットの例１６を示す斜視図。
【発明を実施するための形態】
【０００９】
図１〜図４は、植物保持用のポットＰ１の一例（例１）を示し、図１はポットＰ１の斜視図、図２は図１と異なる角度から見た斜視図、図３はポットＰ１の平面図である。図１〜図３に示すように、ポットＰ１は、上から見て四角形状をなし、底部１、４つの側壁２及び開口３を有し、４つの側壁２にそれぞれ底部１に向かって延びるように外側へせり出すせり出し部４を備える。
【００１０】
せり出し部４は、対向内面５と、段部６と、スリット７とを備える。図３のＡ−Ａ断面図である図４に示すように、対向内面５は、せり出し部４の横方向において互いに対向する面であり、側壁２の一対の対向内面５が底部１に近づくほど、両対向内面５の横方向の間隔が狭くなる先細りの形態を有する。具体的には、せり出し部４における一対の対向内面５が底部１に向かうほど対称的に間隔が狭くなるテーパー形状に形成される。ここで、１つの対向内面５に着目すると、対向内面５は、図１及び図３に示すように、ポットＰ１の底部１側から開口３側へ向かうに連れて対向内面５の幅が狭くなる面（例えば、三角形状の面）であり、対向内面５の上端５ａが開口３の周縁まで達することなく、側壁２における隣り合う対向内面５の上端５ａと接して、複数のせり出し部４が側壁２の周方向に連続的に連なって形成される。
【００１１】
対向内面５の下端５ｂには、ポットＰ１の外側へせり出す段部６が形成される。段部６は、図３に示すように、ポットＰ１を平面から見て、底面１と平行な矩形状の上面６ａを有し、上面６ａにスリット７が形成される。スリット７には、ポットＰ１に保持される植物の名称や写真などが表示する表示ラベル８が挿し込まれることとなる。図５は表示ラベル８がスリット７に挿し込まれた状態を示している。
【００１２】
表示ラベル８は、表示部９と先端部１０を備え、図６に表示ラベル８の例１〜例３を示す。図６（Ａ）〜（Ｃ）の表示ラベル８（８Ａ〜８Ｃ）は、所定形状（例えば矩形状）の表示部９と、矩形状の表示部９の一辺から突出する先端部１０とを備える。表示ラベル８Ａの先端部１０は、相対する辺が先端で繋がるテーパー形状となる。また、表示ラベル８Ｂの先端部１０は、相対する弧状の辺が先端で繋がる曲線的な形状となる。いずれも先端部１０の左右の側縁に切欠（ノッチ）１０ａが形成され、左右の切欠１０ａがポットＰ１におけるスリット７の両端に係止され、抜けが防止される。また、同図（ｃ）の表示ラベル８Ｃは、少なくとも先端部１０の領域に上下方向の分割溝１０ｂを備え、両側縁の切欠１０ａがスリット７の両端に係止されるときにその分割溝１０ｂで先端部１０がすぼまるように弾性変形して表示ラベル８Ｃの係止作業が容易になる。
【００１３】
次に、ポットＰ１に表示ラベル８を挿し込む挿し込み方法について、図７に基づき説明する。図７は、ポットＰ１に植物の苗又は種子とともに、その土壌となる土１１が収容されて（土１１の上面は例えば、ポットＰ１の高さ方向の１／２以上で開口縁３ａ未満であり、普通は段部６（スリット７）が土１１中に埋没する）、ポットＰ１に表示ラベル８が挿し込まれる一例を示したもの（図４の断面図において表示ラベル８が挿し込まれる過程を示したもの）である。土１１が収容されたポットＰ１の側壁２に沿って、表示ラベル８の先端部１０を土１１に向かって挿し込むと、先端部１０がせり出し部４の対向内面５（誘導面・ガイド面）と接触する（図７（Ａ））。対向内面５はスリット７が形成される段部６に続くかたちで傾斜しているため、先端部１０が対向内面５に接触した状態から更に表示ラベル８を挿し込むと、対向内面５が先端部１０をスリット７に誘導する誘導面となり、先端部１０をスリット７へ誘導する（図７（Ｂ））。いわばセンタリング作用である。先端部１０が段部６まで誘導されると、先端部１０がスリット７の近傍に到達し、段部６の矩形状の上面６ａにおいて必要に応じ表示ラベル８の先端部１０を少し移動させると、先端部１０がスリット７をいわば探り当て、スリット７の上側から下側に向かって表示ラベル８を貫通させて（図７（Ｃ））、先端部１０を側壁２の外面に露出させて、表示ラベル８をポットＰ１に保持させる（図７（Ｄ））。
【００１４】
以上のように、対向内面５に沿って表示ラベル８の先端部１０が、スリット７が位置する段部６の上面６ａまで誘導される。つまり、スリット７近傍まで先端部１０が誘導された後、先端部１０を上面６ａ上でわずかにずらせるだけで、又はずらせることなくそのままスムーズに表示ラベル８の先端部１０がスリット７に入り込み易いので、ポットＰ１に土１１が収容されてスリット７が目視できなくても、先端部１０を容易にスリット７に導き、表示ラベル８を挿し込むことができる。
【００１５】
ここで、せり出し部４は、ポットＰ１の高さ方向の開口縁３ａから少し下がった位置から下方に延びて底部１より一定寸法上側の位置までの範囲で形成される。つまり、ポットＰ１の高さ方向の上部中間位置から下部中間位置の範囲で形成される。そのため、開口縁３ａは、この例で、従来と同様の単純な四角形状のままでよい。この点はポットＰ１をラックに格納するとき、開口縁３ａに側方へのでっぱりが生じないから、ラックの通常４角格子状のスペースにポットＰ１を入れ込むときに不都合が生じ難いし、またポットＰ１を上から見たとき、開口縁３ａの形状がシンプルで見栄えもよい。更に、対向内面５は、図１及び図３に示すように、ポットＰ１の底部１側から開口３側へ向かうに連れて幅が狭くなる。逆に言えば、スリット７に誘導する誘導面がスリット７に近づくに従い広くなるので、段部６において先端部１０をスリット７に挿し込むための位置合わせがし易くなる。
【００１６】
また、このようにせり出し部４の側壁２から外側へのせり出し量がポットＰ１の上部中間位置ではゼロであり、下に向かうにつれて漸次増大することでせり出し部４の存在によって開口縁３ａの形状が影響を受けない。また、側壁２のポットＰ１の中心線に対する上広がりの傾斜に対し、せり出し部４がその傾斜を小さくするように（直立に近いように）形成されるため、そのせり出し部４に密着する表示ラベル８はより直立に近い姿勢で保持されることとなる。これにより表示ラベル８がより見やすくなり、陳列時の見栄えも向上する。
【００１７】
また、ポットＰ１は、上から見て四角形状をなし、その４つの側壁にそれぞれせり出し部が合計４個形成されるので、いずれの側壁２においても表示ラベル８をスリット７へ誘導できる。具体的には、図１及び図３に示すように、対向内面５の上端５ａが開口３の周縁まで達することなく、側壁２における隣り合う対向内面５の上端５ａと接して、複数のせり出し部４が側壁２の周方向に連続的に連なって形成されるため、側壁２に沿うように表示ラベル８を挿し込めば、表示ラベル８の先端部１０が対向内面５に接触することにより、簡単に表示ラベル８をスリット７へ誘導し、挿し込み可能となる。このように４面のいずれにも表示ラベル８をセットできるため、例えば苗をポットＰ１に植栽した後、開花する状態で表示ラベル８が使用される場合、どの向きに開花しても４方向の最適な位置に表示ラベル８をセットできる。なお、後述のようにせり出し部４は、４角形状のポットの４つの側壁２のうち少なくとも１つに設けたシンプルな構造のポットとしてもよく、また後述のように、ポットの形態は４角形状のものに限らず、平面形状が丸いポットでもよく、更に開口３と底部１とで形状が異なるものでもよい。例えば４角い開口３と丸い底部１が中間で３次元的に繋がる、若しくは、丸い開口３と４角い底部１が同様に繋がったポット形態でもよい。例えば、丸いポットの場合は、せり出し部４は少なくとも１箇所に形成し、複数設ける場合は、等角度間隔に、例えば４箇所（９０度間隔）、３箇所（１２０度間隔）、２箇所（１８０度間隔）等に設けることができる。
【００１８】
図８は、例２のポットＰ２を示す斜視図、平面図及び側面図であり、せり出し部４における対向内面５の上端５ａは、開口３の周縁まで延び、側壁２における隣り合うせり出し部４がその側壁２の周方向において不連続に複数配置される。通常、ポットＰ２には、その大体８分〜９分目まで土１１が収容されるため、対向内面５の上端５ａが開口３の周縁まで延びることで、表示ラベル８を挿し込む際に対向内面５を確認することができる。よって、目視できる対向内面５に表示ラベル８の先端部１０を沿わせて挿し込むことでスリット７へ表示ラベル８の先端部１０を導き易くなる。また、せり出し部４の上端５ａが開口縁３ａと一致しても、開口３ではせり出し量がゼロで、そこから下方に向かって漸次せり出し量が増加するため、開口３の形状は通常の４角形状に保たれる。
【００１９】
図９は、例３のポットＰ３を示す斜視図、平面図及び側面図であり、せり出し部４における対向内面５の上端５ａは、開口３の周縁まで達することなく、側壁２における隣り合うせり出し部４がその側壁２の周方向において不連続に複数配置される。具体的には、側壁２で相対する対向内面５が段部６から開口３へ向けて互いに離れるように広がり、側面から見て、逆台形状に、かつ、ポットＰ３の傾斜状の側壁２より直立に近い形態でせり出し部４が形成され、側壁２における隣り合うせり出し部４がその側壁２の周方向において不連続に複数配置される。そのため、側壁２において、せり出し部４の領域を少なくして、せり出し部４を目立たなくできる。
【００２０】
図１０は、例４のポットＰ４を示す斜視図、平面図及び側面図であり、せり出し部４に加えて４本のせり出し脚部１２を備える。せり出し脚部１２は、上から見て四角形状をなすポットＰ４の４つの角部１３の稜線に沿って外側へせり出すとともにせり出し部４に連なる。具体的には、ポットＰ４を側面から見て、せり出し部４が、側壁２の上部中央において逆台形状にせり出し、その台形状の裾が開口３の周縁まで広がるとともに周方向に延び、角部１３で開口３の周縁から底部１へ向かって延びるせり出し脚部１２と連なる。そのため、せり出し脚部１２によりポットＰ４の強度が高まり（せり出し脚部１２が補強リブのように機能する）、図６に示した表示ラベル８Ａ〜８Ｃをスリット７へ押し込んで両側の切欠１０ａをスリット７の両端に係止させる際にポットＰ４に上下方向に大きな力が作用してもせり出し脚部１２がその力を受け止める補強部となる。また、せり出し脚部１２の存在によりポットＰ４の中心部に対して上部が横に倒れたり、ねじれたりしにくくなり、また外観上のデザイン性も高まる。
【００２１】
図１１は、例５のポットＰ５を示す、斜視図、平面図及び側面図であり、図１０のポットＰ４のせり出し部４において、逆台形状のせり出し部４の裾に直接せり出し脚部１２が連なるものである。よって、せり出し部４の領域が大きくなり、表示ラベル８がより挿し込み易くなる。
【００２２】
図１２は、例６のポットＰ６を示す、斜視図、平面図及び側面図であり、図１１の逆台形状のせり出し部４をより矩形形状に近く（略矩形状に）するとともに、底部１から開口３の周縁に向かうに連れてせり出し脚部１２の幅を大きくするものである。よって、側壁２のかなりの大部分がせり出され、せり出し部４がその中に包含されるような形態となる。
【００２３】
図１３は、例７のポットＰ７を示す斜視図、平面図及び側面図であり、図１０のポットＰ４において、せり出し部４の逆台形状の裾及びせり出し脚部１２の上端１２ａが開口３の周縁に達することなく、せり出し部４とせり出し脚部１２が分離して形成される。よって、側壁２におけるせり出し領域を少なくできる。
【００２４】
図１４は、例８のポットＰ８を示す斜視図、平面図及び側面図であり、図９におけるポットＰ３における逆台形状のせり出し部４を多角形状にしたものである。具体的には、側壁２において、相対する対向内面５が段部６から開口３へ向けて互いに離れるように広がり、その途中で互いの距離を一定に保った状態（互いに平行な状態）で開口３の周縁の近傍まで延び、その両対向内面５の上端５ａを接続する接続面１４を有する。つまり、ポットＰ８を側面から見て、対向内面５を縦方向と傾斜方向の２種類にすることで、表示ラベル８の先端部１０を対向内面５に沿って移動させる際、スリット７までのおおよその距離を把握できる。なお、図１４において、せり出し部４の上部のせり出し量がゼロから下方に向けて漸増するものとしてもよいし、せり出し部４の上部でのせり出し量Ｐが確保され、せり出し量がＰから漸増又は一定で段部６に達するものでもよい。
【００２５】
図１５は、例９のポットＰ９を示す斜視図、平面図及び側面図であり、図１４のポットＰ８において、せり出し部４に加えて、図１０と同様の４本のせり出し脚部１２を備える。具体的には、せり出し部４が開口３の周縁まで広がるとともに周方向に延び、角部１３で開口３の周縁から底部１へ向かって延びるせり出し脚部１２と連なる。そのため、せり出し部４とせり出し脚部１２が融合して表示ラベル８の挿し易さと、ポットＰ９の強度アップの相乗効果が得られる。なお、この例でせり出し部４の上端５ａと下端５ｂでのせり出し量はほぼ等しい（異なるとしても±２０％以内）。また、底部１の角部１３がせり出して底部１の面積が広がり、ポットＰ９が転倒しにくくなる。
【００２６】
図１６は、例１０のポットＰ１０を示す斜視図、平面図及び側面図であり、図１５のポットＰ９において、せり出し脚部１２の上端１２ａ及びせり出し部４が開口３の周縁に達することなく、せり出し部４とせり出し脚部１２が分離して形成される。
【００２７】
図１７は、例１１のポットＰ１１を示す、斜視図、平面図及び側面図であり、せり出し部４が開口３の周縁まで広がるとともに周方向に延びる。具体的には、側壁２において対向内面５が段部６から開口３へ向けて互いに離れるように曲面状に開口３の周縁の近傍まで延びるとともに横方向に広がり、側壁２における隣り合うせり出し部４がその側壁２の周方向において連続に複数配置される。対向内面５が曲面状であるため、滑らかに表示ラベル８の先端部１０をスリット７に誘導できる。この対向内面５の形態は、いわば曲線状のテーパー形状ということもでき、対向方向に互いに凸となる曲線、又は対向方向に凹となる曲線のいずれであってもよい。また、この曲線状の形態によって、下方へ行くほど間隔が狭まる全ての対向内面５（図１〜図１６）に置換することができる。なお、例えば、図１４〜１６の多角形状のせり出し部４が形成される場合は、その下部のテーパー状部分を上記曲線形態で置換することができる。
【００２８】
図１８は、例１２のポットＰ１２を示す斜視図、平面図及び側面図であり、図９におけるポットＰ３における逆台形状のせり出し部４を矩形状にしたものである。具体的には、側面２において対向内面５が段部６から開口３へ向けて互いの距離を一定にして、開口３の周縁の近傍まで延びることで、ポットＰ１２を側面から見て、矩形状のせり出し部４が形成される。つまり、ポットＰ１２を側面から見て、縦方向に対向内面５が形成されるため、直線的に表示ラベル８の先端部１０をスリット７に誘導することとなる。このような相互に平行な対向内面５であっても、表示ラベル８の先端部１０は、せり出し部４の領域から外側へ外れることなく下方へ導かれる誘導効果が得られる。
【００２９】
図１９は、例１３のポットＰ１３を示す斜視図、平面図及び側面図であり、図１８のポットＰ１２において、せり出し部４に加えて、図１０と同様の４本のせり出し脚部１２を備える。具体的には、せり出し部４が開口３の周縁まで広がるとともに周方向に延び、角部１３で開口３の周縁から底部１へ向かって延びるせり出し脚部１２と連なる。この形態でも表示ラベル８の挿し込み易さとポットＰ１３の強度向上という相乗効果が生じる。また、底部１の角部１３がせり出して底部１の面積が広がり、ポットＰ１３が転倒しにくくなる。
【００３０】
図２０は、例１４のポットＰ１４を示す斜視図、平面図及び側面図であり、図１９のポットＰ１３において、せり出し脚部１２の上端１２ａ及びせり出し部４が開口３の周縁に達することなく、せり出し部４とせり出し脚部１２が分離して形成される。よって、側壁２におけるせり出し領域を少なくできる。
【００３１】
上記の説明では、主として４つの側壁のそれぞれにせり出し部４が１個形成され、合計４個形成されている例を例示的に説明したが、４つの側壁２の少なくとも１つの側壁２にせり出し部４が１個形成されていてもよい。また、上から見て四角形状のポットを主として説明したが、図２１に示すように開口３が四角形状であり、底部１が円形状のポットＰ１５、図２２に示すように開口３及び底部１が円形状のポットＰ１６でも同様に適用できる。この場合、ポットＰ１５、Ｐ１６の側壁に１つ、２つ、３つ・・・というように、せり出し部４を隣接配置すればよい。なお、スリット７としては、段部６の上面６ａの長さより短い上面６ａの内部領域に形成する以外にも、上面６ａ全体（全幅）と等しい長さのスリット７としてもよい。この場合には、対向内面５に沿って表示ラベル８の先端部１０を誘導させることで、直ちに先端部１０をスリット７に誘導できる。
【００３２】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００３３】
Ｐ１〜Ｐ１６  ポット          １  底部
２            側壁            ３  開口
４            せり出し部      ５  対向内面
６            段部            ７  スリット
８            表示ラベル    １０  先端部
【要約】
【課題】本発明の課題は、ラベルの挿入が簡易な植物保持用のポットを提供することにある。
【解決手段】土壌が収容される植物保持用のポットＰ１であって、その側壁２に底部１に向かって延びるように外側へせり出すせり出し部４と、そのせり出し部４の横方向において互いに対向する対向内面５と、そのせり出し部４の下端５ｂに形成された外側へせり出す段部６と、段部６に形成され、上側から下側に向かって挿入される表示ラベル８の先端部１０を受け入れるスリット７と、を備え、せり出し部４の対向内面５が表示ラベル８の先端部１０をスリット７に誘導する誘導面とされ、その対向内面５に誘導される表示ラベル８の先端部１０が段部６をスリット７において貫通して側壁２の外面に露出する。
【選択図】図１【図１】
0005189686.tif 000002
【図２】
0005189686.tif 000003
【図３】
0005189686.tif 000004
【図４】
0005189686.tif 000005
【図５】
0005189686.tif 000006
【図６】
0005189686.tif 000007
【図７】
0005189686.tif 000008
【図８】
0005189686.tif 000009
【図９】
0005189686.tif 000010
【図１０】
0005189686.tif 000011
【図１１】
0005189686.tif 000012
【図１２】
0005189686.tif 000013
【図１３】
0005189686.tif 000014
【図１４】
0005189686.tif 000015
【図１５】
0005189686.tif 000016
【図１６】
0005189686.tif 000017
【図１７】
0005189686.tif 000018
【図１８】
0005189686.tif 000019
【図１９】
0005189686.tif 000020
【図２０】
0005189686.tif 000021
【図２１】
0005189686.tif 000022
【図２２】
0005189686.tif 000023